(57)【要約】【課題】袋体の補充作業又は供給作業に関する作業者の負担を軽減しつつ、生産性を向上させることができる袋体ストッカー及び袋体供給方法を提供する。【解決手段】袋体ストッカー１１は、袋体供給装置に供給される袋体Ｂを複数保持する。袋体ストッカー１１は、移動可能に設けられる本体部２０と、本体部２０により支持される複数の袋体収容部２１と、複数の袋体収容部２１の各々に設けられ、２以上の袋体Ｂを含む袋束Ｂ１を支持する保持部材２２と、を備える。複数の袋体収容部２１の各々は、本体部２０において、収容位置Ｐａと、収容位置Ｐａに配置される袋体収容部２１から突出する引出位置Ｐｂと、の間で移動可能に、本体部２０によって支持されている。【選択図】図２
2019094148.tif 000002
【特許請求の範囲】
【請求項１】
袋体供給装置に供給される袋体を複数保持する袋体ストッカーであって、
移動可能に設けられる本体部と、
前記本体部により支持される複数の袋体収容部と、
前記複数の袋体収容部の各々に設けられ、２以上の袋体を含む袋束を支持する保持部材と、を備え、
前記複数の袋体収容部の各々は、前記本体部において、収容位置と、前記収容位置に配置される袋体収容部から突出する引出位置と、の間で移動可能に、前記本体部によって支持されている袋体ストッカー。
【請求項２】
前記保持部材は、前記袋束を起立姿勢で支持する請求項１に記載の袋体ストッカー。
【請求項３】
前記袋束に含まれる前記２以上の袋体の各々は、口部を有し、
前記保持部材は、前記袋束に含まれる前記２以上の袋体の前記口部が鉛直方向上方に向けられるように、前記袋束を支持する請求項２に記載の袋体ストッカー。
【請求項４】
前記袋束に含まれる前記２以上の袋体の各々は、口部を有し、
前記保持部材は、前記袋束に含まれる前記２以上の袋体の前記口部が水平方向に向けられるように、前記袋束を支持する請求項２に記載の袋体ストッカー。
【請求項５】
前記保持部材は、前記袋束の一部を露出させた状態で前記袋束を支持する請求項１〜４のいずれか一項に記載の袋体ストッカー。
【請求項６】
前記複数の袋体収容部の各々は移動用保持部を有し、前記移動用保持部に力を加えることによって対応の袋体収容部は前記収容位置と前記引出位置との間で移動させられる請求項１〜５のいずれか一項に記載の袋体ストッカー。
【請求項７】
前記本体部は、キャスターを有する請求項１〜６のいずれか一項に記載の袋体ストッカー。
【請求項８】
前記複数の袋体収容部の各々は、前記保持部材を複数有する請求項１〜７のいずれか一項に記載の袋体ストッカー。
【請求項９】
前記袋体供給装置は、供給ルームの内側に設置され、
前記本体部は、前記供給ルームの内側と外側との間で移動可能であり、
前記複数の袋体収容部は、前記供給ルームの外側で前記袋体が補充される請求項１〜８のいずれか一項に記載の袋体ストッカー。
【請求項１０】
前記供給ルームの内側及び外側は隔壁によって仕切られている請求項９に記載の袋体ストッカー。
【請求項１１】
前記保持部材は、前記袋束を外側から支持し、
前記保持部材は、前記袋束に含まれる前記２以上の袋体のうちの最も表面側に配置される袋体と最も裏面側に配置される袋体との各々における、表面及び裏面のうちの一方の一部を露出した状態で、前記袋束を支持する請求項１〜１０のいずれか一項に記載の袋体ストッカー。
【請求項１２】
前記袋束に含まれる前記２以上の袋体の表面及び裏面は同じ方向に向けられており、前記保持部材は、前記２以上の袋体の前記表面及び前記裏面の法線方向が、重力の作用方向である鉛直方向と平行な方向以外の方向に向けられた状態で、前記袋束を支持する請求項１〜１１のいずれか一項に記載の袋体ストッカー。
【請求項１３】
前記袋束は前記保持部材上に載置され、
前記保持部材は、前記袋束に含まれる前記２以上の袋体の各々の複数の辺部のうち互いに隣接する２つの辺部の少なくとも一部に接触する請求項１１又は１２に記載の袋体ストッカー。
【請求項１４】
前記本体部は、前記複数の袋体収容部のうちの少なくとも２以上を相互に鉛直方向に並べた状態で支持する請求項１〜１３のいずれか一項に記載の袋体ストッカー。
【請求項１５】
複数の袋体を袋体ストッカーに補充する工程と、
前記袋体ストッカーから袋体供給装置に前記複数の袋体を供給する工程と、を含む袋体供給方法であって、
前記袋体ストッカーは、移動可能に設けられる本体部と、前記本体部により支持される複数の袋体収容部と、前記複数の袋体収容部の各々に設けられ２以上の袋体を含む袋束を支持する保持部材と、を有し、
前記複数の袋体収容部の各々は、前記本体部において、収容位置と、前記収容位置に配置される袋体収容部から突出する引出位置との間で移動可能に、前記本体部によって支持され、
前記袋体ストッカーに補充される前記複数の袋体は、前記複数の袋体収容部の各々において、前記袋束の形態で前記保持部材によって支持され、
前記袋体ストッカーから前記袋体供給装置に供給される前記複数の袋体の各々は、前記複数の袋体収容部の各々から取り出された前記袋束に含まれる袋体である袋体供給方法。
【請求項１６】
前記複数の袋体収容部の各々は、前記保持部材を複数有する請求項１５に記載の袋体供給方法。
【発明の詳細な説明】
【技術分野】
【０００１】
本発明は、複数の袋体を貯留するための袋体ストッカー、及びそのような袋体ストッカーを使った袋体供給方法に関する。
【背景技術】
【０００２】
袋詰め包装機やスパウト取付機等の袋処理装置は、複数の袋体を連続的に使って各種処理を行う。そのため、袋処理装置における処理が中断されないように、袋処理装置に対する空袋の供給が継続的且つ適切なタイミングで行われる必要がある。
【０００３】
例えば特許文献１が開示する袋詰め包装機は、多数の空袋をストック可能な複数のストッカー（すなわちマガジン）を備える。これらのストッカーは並列に配置され、あるストッカーに貯留される全ての空袋が使用された後に全てのストッカーが横移動され、次のストッカーに貯留される空袋が袋詰め包装機で使われる。特許文献１のこの袋詰め包装機を使用する場合、作業者は一度に多数の空袋を複数のストッカーに補充できるため、単位時間当たりの空袋の補充回数を少なくすることができる。
【０００４】
また特許文献２は、袋束を１束ずつトレーに積載する装置を開示する。また特許文献３は、包装用袋を収容した袋カセットを包装装置に対して選択的に自動設置する装置を開示する。
【先行技術文献】
【特許文献】
【０００５】
【特許文献１】特開２０００−１９１１５６号公報
【特許文献２】特開平８−２１７２３６号公報
【特許文献３】特開２０００−２９６８１４号公報
【発明の概要】
【発明が解決しようとする課題】
【０００６】
マガジンを具備する袋処理装置を使用する場合、マガジンに貯留可能な空袋の数には限りがあるため、作業者はマガジンにおける空袋の貯留状態を継続的に監視しつつ、必要に応じて空袋を適当なタイミングで補充する必要がある。実際、殆どのケースにおいて、作業者は、袋処理装置が稼働している間は常にマガジンにおける空袋の貯留状態に注意を払いつつ、空袋を適時マガジンに補充する必要がある。そのため、空袋の補充に関する作業者の負担は非常に大きい。
【０００７】
特に、袋処理装置における処理が高速に行われる場合、空袋の消費も高速になるため、作業者の空袋の補充作業に関する負担が一層増大する。また、袋処理装置の処理速度（すなわち空袋の消費速度）よりも作業者による空袋の補充速度が遅い場合、空袋の補充作業がボトルネックとなり、袋処理装置の処理能力を向上させる上での障害になる。
【０００８】
特許文献１の装置のように複数のマガジンに空袋を貯留しておくことで、空袋のストック量を増やし、単位時間当たりの空袋の補充回数を少なくすることができる。しかしながらその場合、作業者は場所を移動しつつ各マガジンに空袋を補充する必要があるため、貯留可能な空袋の数が増えるほど（すなわちマガジンの大きさやマガジンの数が増大するほど）、補充作業に係る作業者の負担は増大する。
【０００９】
なお、袋処理装置は必ずしもマガジンを具備している必要はない。マガジンを具備しない袋処理装置では、空袋の消費と連動するように新たな空袋を袋処理装置に適時供給する必要がある。そのような袋処理装置に対する空袋の供給は、上述のマガジンに対する空袋の補充と同様に、人手を介して行われることも多い。マガジンを具備しない袋処理装置に対して人手により空袋を供給する場合にも、作業者の負担は非常に大きい。特に、作業者の不注意等によって空袋が適切なタイミングで袋処理装置に供給されない場合には、袋処理装置における処理が中断してしまい、処理効率が低下する。
【００１０】
また例えば、製袋メーカーで製造された多数の空袋が段ボール箱に収容されて運ばれてくる場合、段ボール箱から空袋を取り出す際に、段ボール箱の紙片や段ボール箱内の塵等の異物が舞い上がる懸念がある。したがって、空袋の取り出しの際に舞い上がる異物によって空袋の供給箇所が汚染されることを防ぐことも求められている。また衛生上の見地から、マガジンの設置箇所や袋処理装置に対して空袋を供給する袋体供給装置の設置箇所に、作業者等の人間が頻繁に出入りすることが、或いは人間が存在すること自体が望ましくない場合がある。特に、食品や衛生用品などが空袋に収納される場合、高度に清浄化されたクリーンブース等の環境下で空袋の供給が行われることが求められることもあり、そのような清浄な環境が人間の出入りや存在によって汚染されることは好ましくない。
【００１１】
また特許文献２の装置では、バンドにより結束された袋束が水平方向に延在するようにトレーに収容され、袋束がトレーに積載された状態でバンドが切断される。その後、押上装置により押し上げられた袋群の下部が一対の平行チャックにより把持され、トレーから袋群が取り出される。このように特許文献２の装置では、トレーから袋群を取り出すために、バンドの切断、袋群の押し上げ、及び袋群の下部への平行チャックの挿入という一連の工程が必要であり、手間がかかるとともに、バンドにより結束された袋束を処理対象とする。また特に、バンドを切断するために、バンド係合部材をバンドと袋束上面との間に挿入してバンドを袋束上面から浮き上がらせるが、その際に袋束上面がバンド係合部材によって傷つけられる懸念がある。
【００１２】
また特許文献３の装置では、袋に形成されたピン穴にピンを差し込むことで包装用袋が積層状態で袋カセットに収容される。このように特許文献３の装置で扱われる袋には予め所定位置にピン穴が形成されている必要があり、適用可能な袋の種類が限定される。
【００１３】
本発明は上述の事情に鑑みてなされたものであり、袋体の補充作業又は供給作業に関する作業者の負担を軽減しつつ、生産性を向上させることができる装置及び方法を提供することを目的とする。また袋体の供給箇所の汚染を防ぐことができる装置及び方法を提供することを別の目的とする。また袋体供給装置に対して袋体を供給する箇所に人間を存在させることなく、袋体の供給を行うことができる装置及び方法を提供することを別の目的とする。また複数の袋体の集合によって構成される袋束を収容箇所から簡単に取り出すことができる装置及び方法を提供することを目的とする。また袋体の損傷を防ぎつつ袋束を取り出すことができる装置及び方法を提供することを別の目的とする。また様々なタイプの袋体に対して柔軟に対応可能な装置及び方法を提供することを別の目的とする。
【課題を解決するための手段】
【００１４】
本発明の一態様は、袋体供給装置に供給される袋体を複数保持する袋体ストッカーであって、移動可能に設けられる本体部と、本体部により支持される複数の袋体収容部と、複数の袋体収容部の各々に設けられ、２以上の袋体を含む袋束を支持する保持部材と、を備え、複数の袋体収容部の各々は、本体部において、収容位置と、収容位置に配置される袋体収容部から突出する引出位置と、の間で移動可能に、本体部によって支持されている袋体ストッカーに関する。
【００１５】
保持部材は、袋束を起立姿勢で支持してもよい。
【００１６】
袋束に含まれる２以上の袋体の各々は、口部を有し、保持部材は、袋束に含まれる２以上の袋体の口部が鉛直方向上方に向けられるように、袋束を支持してもよい。
【００１７】
袋束に含まれる２以上の袋体の各々は、口部を有し、保持部材は、袋束に含まれる２以上の袋体の口部が水平方向に向けられるように、袋束を支持してもよい。
【００１８】
保持部材は、袋束の一部を露出させた状態で袋束を支持してもよい。
【００１９】
複数の袋体収容部の各々は移動用保持部を有し、移動用保持部に力を加えることによって対応の袋体収容部は収容位置と引出位置との間で移動させられてもよい。
【００２０】
本体部は、キャスターを有してもよい。
【００２１】
複数の袋体収容部の各々は、保持部材を複数有してもよい。
【００２２】
袋体供給装置は、供給ルームの内側に設置され、本体部は、供給ルームの内側と外側との間で移動可能であり、複数の袋体収容部は、供給ルームの外側で袋体が補充されてもよい。
【００２３】
供給ルームの内側及び外側は隔壁によって仕切られていてもよい。
【００２４】
保持部材は、袋束を外側から支持し、保持部材は、袋束に含まれる２以上の袋体のうちの最も表面側に配置される袋体と最も裏面側に配置される袋体との各々における、表面及び裏面のうちの一方の一部を露出した状態で、袋束を支持してもよい。
【００２５】
袋束に含まれる２以上の袋体の表面及び裏面は同じ方向に向けられており、保持部材は、２以上の袋体の表面及び裏面の法線方向が、重力の作用方向である鉛直方向と平行な方向以外の方向に向けられた状態で、袋束を支持してもよい。
【００２６】
袋束は保持部材上に載置され、保持部材は、袋束に含まれる２以上の袋体の各々の複数の辺部のうち互いに隣接する２つの辺部の少なくとも一部に接触してもよい。
【００２７】
本体部は、複数の袋体収容部のうちの少なくとも２以上を相互に鉛直方向に並べた状態で支持してもよい。
【００２８】
本発明の他の態様は、複数の袋体を袋体ストッカーに補充する工程と、袋体ストッカーから袋体供給装置に複数の袋体を供給する工程と、を含む袋体供給方法であって、袋体ストッカーは、移動可能に設けられる本体部と、本体部により支持される複数の袋体収容部と、複数の袋体収容部の各々に設けられ２以上の袋体を含む袋束を支持する保持部材と、を有し、複数の袋体収容部の各々は、本体部において、収容位置と、収容位置に配置される袋体収容部から突出する引出位置との間で移動可能に、本体部によって支持され、袋体ストッカーに補充される複数の袋体は、複数の袋体収容部の各々において、袋束の形態で保持部材によって支持され、袋体ストッカーから袋体供給装置に供給される複数の袋体の各々は、複数の袋体収容部の各々から取り出された袋束に含まれる袋体である袋体供給方法に関する。
【００２９】
複数の袋体収容部の各々は、保持部材を複数有してもよい。
【発明の効果】
【００３０】
本発明のある態様によれば、袋体の補充作業又は供給作業に関する作業者の負担を軽減しつつ、生産性を向上させることができる。また本発明のある態様によれば、袋体の供給箇所の汚染を防ぐことができる。また本発明のある態様によれば、袋体供給装置に対して袋体を供給する箇所に人間を存在させることなく、袋体の供給を行うことができる。また本発明のある態様によれば、複数の袋体の集合によって構成される袋束を収容箇所から簡単に取り出すことができる。本発明のある態様によれば、袋体の損傷を防ぎつつ袋束を取り出すことができる。また本発明のある態様によれば、様々なタイプの袋体に対して柔軟に対応可能である。
【図面の簡単な説明】
【００３１】
【図１】図１は、袋体の一例を示す平面図である。
【図２】図２は、受け取り位置において、袋体ストッカーに複数の袋体を補充する作業を説明するための図である。
【図３】図３は、複数の袋束を貯留する袋体ストッカーを、取り出し位置にセッティングする作業を説明するための図である。
【図４】図４は、複数の袋体ストッカーを取り出し位置にセッティングした状態を示す図である。
【図５】図５は、袋体移送部（プッシャー）、預け部、マガジン、第１袋体ピックアップ部及び送り出し部の構成例を示す拡大図である。
【図６】図６は、袋体ストッカーから袋体供給装置に複数の袋体を供給する工程を説明するための図である。
【図７】図７は、袋体ストッカーから袋体供給装置に複数の袋体を供給する工程を説明するための図である。
【図８】図８は、袋体ストッカーから袋体供給装置に複数の袋体を供給する工程を説明するための図である。
【図９】図９は、袋体ストッカーから袋体供給装置に複数の袋体を供給する工程を説明するための図である。
【図１０】図１０は、第１応用例に係る袋体供給システムを示す図である。
【図１１】図１１は、第２応用例に係る袋体供給システムを示す図である。
【図１２】図１２は、第３応用例に係る袋体供給システムを示す図である。
【図１３】図１３は、袋体ストッカーから袋体供給装置に複数の袋体を供給する工程を説明するための第１変形例に係る図である。
【図１４】図１４は、袋体ストッカーから袋体供給装置に複数の袋体を供給する工程を説明するための第１変形例に係る図である。
【図１５】第２変形例に係る袋体収容部及び保持部材を示す概略図である。
【図１６】第３変形例に係る袋体収容部及び保持部材を示す概略図である。
【図１７】図１７は、第４変形例に係る袋体ストッカー及びワゴンロック装置を示す側方図であり、非ロック状態を示す。
【図１８】図１８は、第４変形例に係る袋体ストッカー及びワゴンロック装置を示す側方図であり、ロック状態を示す。
【図１９】図１９は、第４変形例に係る袋体ストッカー及びワゴンロック装置の平面図であり、非ロック状態を示す。
【図２０】図２０は、第４変形例に係る袋体ストッカー及びワゴンロック装置の平面図であり、ロック状態を示す。
【図２１】図２１は、第５変形例に係る袋体ストッカーを示す側方図であり、袋体ストッカーの内側の構成を示す。
【発明を実施するための形態】
【００３２】
以下、図面を参照して本発明の一実施形態について説明する。なお便宜上、図示の要素の中には、図面間で厳密に同じサイズ及び形状を持つようには示されていない要素が含まれているが、当業者であればそのような要素を適宜理解することが可能であり、また各要素が様々なバリエーションを持ちうることを理解することが可能である。
【００３３】
以下の実施形態では、一例として、包装機（袋体処理装置）に供給される多数の空袋（袋体）を貯留しておくマガジンに対し、製袋メーカーで製造された空袋を供給するための空袋群供給システム（袋体供給システム）について説明する。具体的には、多数の空袋を積載可能な空袋群収容ワゴン（袋体ストッカー）と、当該空袋群収容ワゴンを利用した空袋群供給システムとについて以下説明する。
【００３４】
図１は、袋体Ｂの一例を示す平面図である。図１に示す袋体Ｂの本体部Ｂａは長方形の平面形状を有し、袋体Ｂの表面及び裏面の各々は、本体部Ｂａの複数のエッジ部によって囲まれる領域の面によって構成される。袋体Ｂの複数のエッジ部のうちの１つ（図１の符合「Ｂｃ１」参照）には、口部Ｂｂが形成されている。口部Ｂｂは、袋体Ｂの内部と外部とを連通する貫通孔が形成されている部位又は形成される予定の部位である。したがって後述の袋体ストッカー、袋体供給装置及び袋体処理装置に袋体Ｂが補充される段階では、袋体Ｂの内部と外部とが口部Ｂｂを介して連通している状態であってもよいし、袋体Ｂの内部と外部とが口部Ｂｂを介して連通していない状態であってもよい。口部Ｂｂの形態は限定されず、単なる貫通孔として形成されてもよいし、スパウト等の器具が装着されてもよい。
【００３５】
以下に説明する装置及び方法を適用可能な袋体Ｂは、図１に示す袋体Ｂの形態には限定されない。例えば、図１に示す袋体Ｂは一対の短エッジ部及び一対の長エッジ部を含むが、全てのエッジ部の長さが相互に等しくてもよい。また図１に示す口部Ｂｂは、短エッジ部に形成されているが、長エッジ部に形成されてもよく、任意のエッジ部に形成可能である。また袋体Ｂの平面形状は、四角形以外の多角形状であってもよいし、袋体Ｂのエッジ部の少なくとも一部がカーブを描いていてもよい。
【００３６】
次に、上述の袋体Ｂが複数補充される袋体ストッカー１１（移動ユニット）と、袋体ストッカー１１から複数の袋体Ｂが供給される袋体供給装置１２と、を備える袋体供給システム１０の一例、及び当該袋体供給システム１０を使った袋体供給方法の一例について説明する。
【００３７】
図２は、受け取り位置Ｐ２において、袋体ストッカー１１に複数の袋体Ｂを補充する作業を説明するための図である。図３は、複数の袋束Ｂ１を貯留する袋体ストッカー１１を、取り出し位置Ｐ１にセッティングする作業を説明するための図である。図４は、複数の袋体ストッカー１１を取り出し位置Ｐ１にセッティングした状態を示す図である。図５は、袋体移送部３６（プッシャーＰ）、預け部３３、マガジン３４、第１袋体ピックアップ部３５及び送り出し部３７の構成を拡大して示す図である。
【００３８】
［袋体供給システム］
袋体供給システム１０は、袋体ストッカー１１及び袋体供給装置１２を備える。袋体ストッカー１１は、袋体供給装置１２に供給される複数の袋体Ｂを保持する。特に本実施形態の袋体ストッカー１１は、袋体収容部２１に袋束Ｂ１を供給する袋束補給位置（すなわち受け取り位置Ｐ２）と、袋体収容部２１から袋束Ｂ１が取り出される袋束供給位置（すなわち取り出し位置Ｐ１）とに、袋体収容部２１を移動させる移動ユニットとして働く。袋体供給装置１２は、供給ルームＲの内側に設置され、袋束供給位置（取り出し位置Ｐ１）に配置された袋体ストッカー１１から複数の袋体Ｂが供給される。なお上述のように、本実施形態の袋体供給装置１２は、袋体Ｂを使った処理を行う包装機等の袋体処理装置（図示省略）に向けて、袋体Ｂを次々と送り出す。
【００３９】
［袋体ストッカー］
袋体ストッカー１１は、供給ルームＲの内側（取り出し位置Ｐ１）と外側（受け取り位置Ｐ２）との間で移動可能に設けられる本体部２０を有し、本体部２０は複数の袋体収容部（引出部）２１を支持する。各袋体収容部２１は袋束Ｂ１を支持する１又は複数の保持部材２２（図示の袋体収容部２１は複数の保持部材２２）を有する。供給ルームＲの内側（取り出し位置Ｐ１）と外側（受け取り位置Ｐ２）とは、典型的には、図示しない隔壁によって仕切られており、供給ルームＲの内側は閉じられた空間を形成可能な構造である。ただし、供給ルームＲの内側は、必ずしも、完全に閉じられた空間でなくてもよく、供給ルームＲの内側が外側に連通していてもよい。また、取り出し位置Ｐ１（供給ルームＲの内側）と受け取り位置Ｐ２（供給ルームＲの外側）とが十分に離れていれば、供給ルームＲの内側（取り出し位置Ｐ１）と外側（受け取り位置Ｐ２）とは隔壁によって仕切られていなくてもよい。したがって、受け取り位置Ｐ２における作業（例えば袋体Ｂの補充作業）が取り出し位置Ｐ１に及ぼす影響（例えば塵等の異物の分散）を実質的に無視できる距離離れた位置に、取り出し位置Ｐ１及び受け取り位置Ｐ２が設けられていてもよい。
【００４０】
本体部２０は、底部（下端面）において、複数のキャスター２３（車輪）を有する。当該キャスター２３を床面上で転動させることによって、袋体ストッカー１１全体を、供給ルームＲの内側（取り出し位置Ｐ１）と外側（受け取り位置Ｐ２）との間で自在に移動させることができる。なお本体部２０（すなわち袋体ストッカー１１）を移動させるための駆動源は限定されず、機械を駆動源としてもよいし、作業者Ｗの人力を駆動源としてもよい。
【００４１】
袋体収容部２１は複数設けられ、複数の袋体収容部２１の各々は供給ルームＲの外側で袋体Ｂが補充される。各袋体収容部２１は、本体部２０において、収容位置Ｐａと、収容位置Ｐａに配置される袋体収容部２１から突出する引出位置Ｐｂと、の間で移動可能に、本体部２０によって支持されている。図示の各袋体収容部２１は、本体部２０に対し、収容位置Ｐａと引出位置Ｐｂとの間において水平方向へスライド自在に設けられている。袋体ストッカー１１では、複数の袋体収容部２１が鉛直方向（すなわち積層方向）に並ぶように配置される。収容位置Ｐａに配置される複数の袋体収容部２１は鉛直方向に関して相互に重なる位置に配置され、また引出位置Ｐｂに配置される複数の袋体収容部２１は鉛直方向に関して相互に重なる位置に配置される。このように複数の袋体収容部２１を鉛直方向に並べて配置することで、袋体ストッカー１１を水平方向に関してコンパクトに構成することができる。また、各袋体収容部２１を水平方向へスライド可能に構成することで、必要に応じて、各袋体収容部２１を収容位置Ｐａから引出位置Ｐｂに移動させて、袋束Ｂ１（袋体Ｂ）が載置される箇所（特に各保持部材２２）を露出させることができる。これにより、各袋体収容部２１への複数の袋体Ｂ（袋束Ｂ１）の補充及び各袋体収容部２１からの複数の袋体Ｂ（袋束Ｂ１）の取り出しを、スムーズに行うことができる。
【００４２】
各保持部材２２は、袋束Ｂ１を外側から支持するための部材である。袋束Ｂ１は、２以上の袋体Ｂ（通常は数枚〜数十枚程度の袋体Ｂ）を含み、袋束Ｂ１に含まれる２以上の袋体Ｂの表面及び裏面は互いに同じ方向に向けられ、これらの袋体Ｂが相互に重ねられて一体的に配置されることで袋束Ｂ１が構成される。本実施形態では、各保持部材２２は、これらの２以上の袋体Ｂの表面及び裏面の向き（すなわち法線方向）が重力の作用方向である鉛直方向と平行な方向以外の方向に向けられた状態で、袋束Ｂ１を支持する。すなわち、袋束Ｂ１（すなわち２以上の袋体Ｂ）は、水平方向以外の方向に延在するようにして保持部材２２により支持される。特に、各保持部材２２は、そのような袋束Ｂ１を貫通することなく、袋束Ｂ１の外表面の一部に接触した状態で、袋束Ｂ１を外側から支持する。このように袋束Ｂ１を外側から支持することにより、各袋Ｂにおける貫通孔の有無にかかわらず、様々なタイプの袋体Ｂ（袋束Ｂ１）に対して柔軟に対応することができる。例えば、サイズ及び形状が異なる複数種類の袋体Ｂ（袋束Ｂ１）を、共通の保持部材２２を使って適切に支持することも可能である。図示の各保持部材２２は、対応の袋体Ｂを起立姿勢で支持する。ここでいう起立姿勢は、袋体Ｂに含まれる各袋体Ｂが概ね鉛直方向に延在する姿勢であり、各袋体Ｂの表面及び裏面が鉛直方向以外の方向に向けられている姿勢である。したがって、各袋体Ｂが鉛直方向及び水平方向の双方に対して傾斜して延在する傾斜姿勢も、広義には、ここでいう起立姿勢に含まれる。また図示の袋体ストッカー１１の各保持部材２２は、対応の袋束Ｂ１に含まれる２以上の袋体Ｂの口部Ｂｂが鉛直方向上方に向けられるように、対応の袋束Ｂ１を支持する。
【００４３】
ただし、各保持部材２２による袋体Ｂの支持姿勢は限定されず、各保持部材２２は袋体Ｂを水平姿勢で支持してもよい。ここでいう水平姿勢は、袋束Ｂ１に含まれる各袋体Ｂが概ね水平方向に延在する姿勢であり、各袋体Ｂの表面及び裏面が概ね鉛直方向に向けられている姿勢である。また、各保持部材２２によって支持される袋束Ｂ１に含まれる各袋体Ｂの口部Ｂｂが向けられる方向も限定されない。
【００４４】
各保持部材２２は、対応の袋束Ｂ１の一部（特に表面及び裏面の各々の一部）を露出させた状態で、対応の袋束Ｂ１を表面側及び裏面側の両面側から支持する。すなわち各保持部材２２は、対応の袋束Ｂ１に含まれる２以上の袋体Ｂのうちの最も表面側に配置される袋体Ｂと最も裏面側に配置される袋体Ｂとの各々における、表面及び裏面のうちの一方（すなわち表面及び裏面のうち、隣接する袋体Ｂが配置される側と反対側に位置して外方に向けられた面）の一部を露出した状態で、袋束Ｂ１を支持する。図示の各保持部材２２は、鉛直方向に立設する４つの棒状部材を含み、袋束Ｂ１の一方の端部の表面側及び裏面側を２つの棒状部材によって挟みつつ、他方の端部の表面側及び裏面側を他の２つの棒状部材によって挟むことで、袋束Ｂ１を支持する。このように袋束Ｂ１の一部を露出させた状態で各保持部材２２が袋束Ｂ１を支持することにより、袋体ストッカー１１から袋束Ｂ１を取り出す際に、袋束Ｂ１を把持しやすくなる。
【００４５】
なお、図示の各保持部材２２は相互に離間して配置された複数のピンによって構成されているが、各保持部材２２の構成は限定されない。例えば１又は２以上の板状部材を立設させることによって各保持部材２２を構成してもよいし、袋束Ｂ１を収容可能な箱状部材によって各保持部材２２を構成してもよい。図示のように各保持部材２２としてピンを用いる場合、例えば、起立姿勢の袋束Ｂ１の上部がピンによって保持されないように、各袋体収容部２１において鉛直方向に関し袋束Ｂ１よりも短いピンによって各保持部材２２を構成してもよい。また各保持部材２２として板状部材や箱状部材を用いる場合、各袋体収容部２１において鉛直方向に関し袋束Ｂ１よりも短い板状部材や箱状部材によって各保持部材２２を構成してもよい。また、各保持部材２２を構成する板状部材や箱状部材に切り欠きを形成し、この切り欠きを介して対応の袋束Ｂ１の一部を露出させてもよい。
【００４６】
各袋体収容部２１は移動用保持部２４を有し、移動用保持部２４に力が加えられることによって対応の袋体収容部２１は収容位置Ｐａと引出位置Ｐｂとの間で移動させられる。図示の移動用保持部２４は所謂取っ手の形態を有するが、移動用保持部２４の形態は限定されず、移動装置（本実施形態では取り出し部３１の袋体保持部４１）の保持（例えば係合）に適した任意の形態（例えば凸部、凹部及び／又は穴部等）を有することができる。
【００４７】
袋体ストッカー１１は、袋束補給位置（受け取り位置Ｐ２）から袋束供給位置（取り出し位置Ｐ１）に複数の袋体収容部２１を移動させる場合、複数の袋体収容部２１のうちの少なくとも２以上を相互に鉛直方向に並べた状態で移動させる。
【００４８】
上述の構成を有する袋体ストッカー１１は、複数（好ましくは３つ以上）設けられている。特に、袋体供給装置１２に割り当てられる袋体ストッカー１１を取り出し位置Ｐ１に配置しつつ、他の袋体ストッカー１１を受け取り位置Ｐ２に配置することができることが好ましい。この場合、取り出し位置Ｐ１で袋体供給装置１２に対する袋体Ｂの供給が行われている間に、受け取り位置Ｐ２で袋体ストッカー１１に対して袋体Ｂを補充することができる。図示の袋体供給システム１０では、１つの袋体供給装置１２に対して２つの袋体ストッカー１１を割り当てることができるが、１つの袋体供給装置１２に対して３つ以上の袋体ストッカー１１が割り当てられてもよいし、１つの袋体供給装置１２に対して１つの袋体ストッカー１１のみが割り当てられてもよい。
【００４９】
［袋体供給装置］
図３及び図４等に示す袋体供給装置１２は、供給ルームＲ内に設けられており、順次、複数の袋体ストッカー１１の各々から複数の袋体Ｂが供給される。すなわち袋体供給装置１２には、取り出し位置Ｐ１に配置された複数の袋体ストッカー１１のうちのある袋体ストッカー１１から複数の袋体Ｂが供給され、当該ある袋体ストッカー１１において袋体Ｂがなくなったら、他の袋体ストッカー１１から袋体供給装置１２に複数の袋体Ｂが供給される。袋体供給装置１２は、取り出し部３１、配置調整部３２、預け部３３、袋体移送部３６、マガジン３４、第１袋体ピックアップ部３５及び送り出し部３７を有する。
【００５０】
［取り出し部］
取り出し部３１は、供給ルームＲ内において袋体ストッカー１１が配置される取り出し位置Ｐ１の近傍に設置され、袋体ストッカー１１から袋束Ｂ１を取り出し、当該袋束Ｂ１を預け部３３に運ぶ。また本実施形態の取り出し部３１は、移動用保持部２４に力を加えて対応の袋体収容部２１を収容位置Ｐａから引出位置Ｐｂに移動させる移動装置としても機能する。本実施形態では取り出し部３１が移動装置としても機能するが、取り出し部３１とは別体の移動装置が設けられてもよい。
【００５１】
図示の取り出し部３１は、ロボットハンドとして構成されており、袋束Ｂ１を保持及び解放することができる袋体保持部４１と、袋体保持部４１を三次元的に移動させる三次元移動部４２と、を有する。
【００５２】
図示の袋体保持部４１は、三次元移動部４２の先端部に取り付けられ、エアシリンダ（図示省略）を駆動源として開閉可能に設けられた一対の挟持部材によって構成されている。本実施形態の袋体保持部４１は、袋束Ｂ１を挟持及び解放することができるだけではなく、各袋体収容部２１の移動用保持部２４を保持することもできる。なお図示の袋体保持部４１では、袋束Ｂ１を保持するための一対の挟持部材と、移動用保持部２４を保持するための係合部とが、別体として設けられている。
【００５３】
図示の三次元移動部４２は、袋体保持部４１を三次元的に移動させるアーム部として構成される。図示の三次元移動部４２は、多関節ロボットによって構成されているが、三次元移動部４２の具体的な構成は限定されず、例えばパラレルリンクロボット等の他の装置によって構成されてもよい。
【００５４】
上述の構成を有する本実施形態の取り出し部３１は、袋体ストッカー１１から取り出した袋束Ｂ１を配置調整部３２に渡し、配置調整部３２によって配置位置が調整された袋束Ｂ１を配置調整部３２から受け取り、配置調整部３２から受け取った袋束Ｂ１を預け部３３に運ぶ。
【００５５】
［配置調整部（位置決め手段）］
配置調整部３２は、取り出し部３１から受け取った袋束Ｂ１に含まれる２以上の袋体Ｂの相互間の配置位置を調整する。
【００５６】
図示の配置調整部３２は、袋束Ｂ１が載せられる配置調整載置部４４と、配置調整載置部４４上の袋束Ｂ１に含まれる２以上の袋体Ｂの位置を調整する位置調整部材４５とを有する。配置調整載置部４４は、載せられた袋束Ｂ１を水平姿勢で支持する。配置調整載置部４４の形状は限定されないが、図示の配置調整載置部４４は、取り出し部３１（特に袋体保持部４１）との干渉を防ぐために一部が切り欠かれている。位置調整部材４５は、エアシリンダ（図示省略）を駆動源として移動可能に設けられる。具体的には、位置調整部材４５は一対の側壁部材を含み、配置調整載置部４４上の袋束Ｂ１に含まれる２以上の袋体Ｂに両側から当接して当該２以上の袋体Ｂの配置位置を調整する矯正位置と、配置調整載置部４４上の袋束Ｂ１に含まれる２以上の袋体Ｂから離間する離間位置と、の間を移動可能に構成されている。
【００５７】
なお本実施形態の袋束Ｂ１は、袋体ストッカー１１（すなわち袋体収容部２１）から配置調整部３２を介して預け部３３に運ばれるが、配置調整部３２は設けられていなくてもよく、袋束Ｂ１は袋体ストッカー１１から預け部３３に直接的に運ばれてもよい。
【００５８】
［預け部］
預け部３３は、取り出し部３１によって袋束Ｂ１が載置される移送載置部４７と、移送載置部４７上の袋束Ｂ１をガイドする移送ガイド部４８と、を有する。
【００５９】
移送載置部４７は、取り出し部３１を介して供給される袋束Ｂ１を水平姿勢で支持可能な支持部材である。移送ガイド部４８は、移送載置部４７上の袋束Ｂ１の両側縁部をガイドする一対の板状部材によって構成されており、下流側に設けられたマガジン３４内に向けて袋束Ｂ１をガイドする。特に、図示の移送ガイド部４８は、移送載置部４７上の袋束Ｂ１に含まれる２以上の袋体Ｂの複数のエッジ部のうち口部Ｂｂが設けられていないエッジ部に接触し、袋束Ｂ１をガイドする。なお移送載置部４７及び移送ガイド部４８は、袋体移送部３６（例えば進退移動するプッシャーＰ）と干渉しない構造を有する。
【００６０】
［袋体移送部］
袋体移送部３６は、預け部３３から袋束Ｂ１を移送してマガジン３４に収容する。すなわち袋体移送部３６は、移送載置部４７上の袋束Ｂ１を移送ガイド部４８に沿って移送してマガジン３４に収容する。
【００６１】
図示の袋体移送部３６は、預け部３３に隣接して配置され、移送載置部４７上の袋束Ｂ１をマガジン３４に向けて押し出すプッシャーＰを有する。このプッシャーＰは、エアシリンダ（図示省略）を駆動源として待避位置と押し出し位置との間で概ね水平方向へ移動可能に設けられている。待避位置に配置されたプッシャーＰは移送載置部４７上の袋束Ｂ１から離間する。そしてプッシャーＰは、待避位置から押し出し位置に向けて移動することで、移送載置部４７上の袋束Ｂ１をマガジン３４に向けて押す。
【００６２】
袋体供給装置１２は、取り出し部３１によって袋束Ｂ１を預け部３３に運ぶ際に、取り出し部３１と袋体移送部３６（プッシャーＰ）等の他の装置とが互いに干渉しない構成を有する。図示の預け部３３は、図示しないモータ等によって鉛直方向に昇降可能に設けられており、取り出し部３１から袋束Ｂ１を受け取って当該袋束Ｂ１が移送載置部４７上に載せられる上昇位置と、袋体移送部３６（プッシャーＰ）によって移送載置部４７上の袋束Ｂ１がマガジン３４に向かって押し出される下降位置とに、配置可能である。
【００６３】
なお、袋体供給装置１２は、取り出し部３１と袋体移送部３６（プッシャーＰ）等との間の意図しない干渉を防ぐ他の任意の構成を採用することが可能である。例えば、取り出し部３１によって袋束Ｂ１を預け部３３に運ぶ際に、預け部３３に隣接する位置に取り出し部３１（特に袋体保持部４１）を配置可能なスペースが設けられるような待避位置にプッシャーＰ（袋体移送部３６）が配置されてもよい。
【００６４】
［マガジン］
マガジン３４は、預け部３３に隣接して配置され、収容された袋束Ｂ１を昇降可能に保持する。図示のマガジン３４は、袋体移送部３６（すなわちプッシャーＰ）によって預け部３３から送られてくる袋束Ｂ１を水平姿勢で支持するマガジン載置部５０と、マガジン載置部５０上の袋束Ｂ１の両側縁部を上昇自在にガイドする一対のマガジンガイド部５１と、袋体移送部３６（プッシャーＰ）による袋束Ｂ１の移動を規制するマガジンストッパー部５２と、を有する。マガジン載置部５０は、サーボモータ（図示省略）を駆動源として昇降可能に設けられており、収容された袋束Ｂ１に含まれる２以上の袋体Ｂのうち最上位に位置する袋体Ｂの鉛直方向位置を常に概ね同じにすることができる。したがって、マガジン３４から袋体Ｂが取り出されるのに応じて、マガジン載置部５０は徐々に上昇する。また新たな袋束Ｂ１がマガジン３４に供給される場合、マガジン載置部５０は下降し、マガジン３４には新たな袋束Ｂ１を配置するためのスペースが作られる。
【００６５】
なおマガジン３４は、少なくとも１つの袋束Ｂ１に対応する大きさのスペースを形成することが可能であればよく、複数の袋束Ｂ１に対応する大きさのスペースを形成することが可能であってもよい。マガジン３４が複数の袋束Ｂ１に対応する大きさのスペースを形成することを可能にすることで、第１袋体ピックアップ部３５を介してマガジン３４から後段に袋体Ｂを搬送する処理を長時間にわたって中断させることなく連続的に行うことができる。したがって、マガジン３４内の複数の袋体Ｂを第１袋体ピックアップ部３５によって後段に搬送する間に、新たな袋束Ｂ１を袋体ストッカー１１から預け部３３に運び終えることも可能であり、効率的に袋束Ｂ１（袋体Ｂ）を搬送することができる。なお図２〜図５に示すマガジン３４は、３つの袋束Ｂ１を収容することが可能なスペースを形成することが可能である。
【００６６】
［第１袋体ピックアップ部及び送り出し部］
第１袋体ピックアップ部３５は、マガジン３４に収容された袋束Ｂ１に含まれる２以上の袋体Ｂを１袋ずつ取り出し、具体的には、袋束Ｂ１の最上位置に配置された袋体Ｂを１枚ずつ取り出す。第１袋体ピックアップ部３５は、例えば吸盤等によって構成可能である。図２〜図５に示す袋体供給装置１２では、第１袋体ピックアップ部３５によって取り出された袋体Ｂは、送り出し部３７に渡され、送り出し部３７によって後段に送られる。
【００６７】
なお送り出し部３７は設けられていなくてもよく、第１袋体ピックアップ部３５が直接的に後段の装置等に袋体Ｂを渡してもよいし、送り出し部３７以外の装置等を介して第１袋体ピックアップ部３５から後段に袋体Ｂが送られてもよい。
【００６８】
上述の袋体移送部３６（プッシャーＰ）、預け部３３、マガジン３４、第１袋体ピックアップ部３５及び送り出し部３７のセットは、１つのみ設けられてもよいし、複数設けられてもよい。図３〜図５に示す袋体供給装置１２は当該セットを４つ具備し、袋体移送部３６（プッシャーＰ）、預け部３３、マガジン３４、第１袋体ピックアップ部３５及び送り出し部３７の各々は４つ設けられている。
【００６９】
［袋体供給方法］
次に、上述の袋体供給システム１０を使って行われる袋体供給方法を説明する。
【００７０】
本実施形態の袋体供給方法は、複数の袋体Ｂを袋体ストッカー１１に補充する工程と、袋体ストッカー１１から袋体供給装置１２に複数の袋体Ｂを供給する工程と、を含む。特に図示の袋体供給システム１０では、供給ルームＲの外側で袋体ストッカー１１に複数の袋体Ｂが補充され、供給ルームＲの内側で袋体ストッカー１１から袋体供給装置１２に複数の袋体Ｂが供給される。
【００７１】
袋体ストッカー１１に補充された複数の袋体Ｂは、複数の袋体収容部２１の各々において、袋束Ｂ１の形態で複数の保持部材２２により支持されて貯留される。そして、袋体ストッカー１１から袋体供給装置１２に供給される複数の袋体Ｂの各々は、複数の保持部材２２の各々から取り出された袋束Ｂ１に含まれる袋体Ｂである。
【００７２】
以下、袋体供給方法に含まれる各工程について説明する。
【００７３】
［袋体群供給工程］
複数の袋体Ｂを袋体ストッカー１１に補充する工程は、本体部２０において複数の袋体収容部２１を順次収容位置Ｐａから引出位置Ｐｂに移動させる工程と、引出位置Ｐｂに配置された袋体収容部２１に複数の袋体Ｂを供給し、当該複数の袋体Ｂを袋束Ｂ１として複数の保持部材２２の各々に支持させる工程と、対応の複数の保持部材２２の各々が袋束Ｂ１を支持している状態の袋体収容部２１を、引出位置Ｐｂから収容位置Ｐａに移動させる工程と、を含む（図２参照）。
【００７４】
具体的には、以下のようにして袋体ストッカー１１に複数の袋体Ｂが補充される。
【００７５】
第１工程：  所定数（例えば１つ〜３つのいずれか）の袋体ストッカー１１を、供給ルームＲの外側の所定の受け取り位置Ｐ２に停止させて配置する。この際、各袋体収容部２１は、収容位置Ｐａに配置されるとともに、袋体Ｂが収納されていない空の状態である。
【００７６】
第２工程：  新たな袋体Ｂを供給する対象の袋体収容部２１を収容位置Ｐａから引出位置Ｐｂまで移動させる。この際、対象の袋体収容部２１の移動は、作業者Ｗによって行われてもよいし、図示しない機械によって行われてもよい。
【００７７】
第３工程：  引出位置Ｐｂに配置された袋体収容部２１に複数の袋体Ｂを補充し、各保持部材２２によって袋束Ｂ１の形態でその複数の袋体Ｂを起立姿勢で支持させる。この際、複数の袋体Ｂの補充は、作業者Ｗによって行われてもよいし、図示しない機械によって行われてもよい。作業者Ｗによって複数の袋体Ｂの補充が行われる場合、例えば袋体Ｂを大量に収容する段ボール箱２５から、作業者Ｗが任意の数の袋体Ｂを取り出して袋束Ｂ１の形態で各袋体収容部２１に適宜収容してもよい。
【００７８】
第４工程：  所定数の袋束Ｂ１が補充された袋体収容部２１を引出位置Ｐｂから収容位置Ｐａに移動させる。この際、対象の袋体収容部２１の移動は、作業者Ｗによって行われてもよいし、図示しない機械によって行われてもよい。
【００７９】
上述の第１工程〜第４工程を、袋体ストッカー１１が有する全ての袋体収容部２１に関して行い、全ての袋体収容部２１に複数の袋束Ｂ１を収容する。このようにして、１つの袋体ストッカー１１に対する複数の袋体Ｂの補充が行われる。
【００８０】
なお、複数の袋体Ｂの補充を行う必要がある袋体ストッカー１１が２以上ある場合には、上述の一連の工程が袋体ストッカー１１毎に行われる。
【００８１】
［袋体ストッカー移動工程］
複数の袋体Ｂの補充が完了した袋体ストッカー１１は、所定の受け取り位置Ｐ２から床面上を移動させられて、供給ルームＲの内側の所定の取り出し位置Ｐ１で停止させられる（図２及び図３参照）。この際、袋体ストッカー１１の移動は、作業者Ｗによって行われてもよいし、図示しない機械によって行われてもよい。
【００８２】
次に、袋体ストッカー１１から袋体供給装置１２に複数の袋体Ｂを供給する工程について説明する。図６〜図９は、袋体ストッカー１１から袋体供給装置１２に複数の袋体Ｂを供給する工程を説明するための図である。
【００８３】
［引出部引出工程］
袋体ストッカー１１から袋体供給装置１２に複数の袋体Ｂを供給する工程は、移動装置が移動用保持部２４に力を加え、対応の袋体収容部２１を収容位置Ｐａから引出位置Ｐｂまで移動させる工程を含む（図６参照）。図示の装置では、移動装置として働く取り出し部３１の袋体保持部４１を移動用保持部２４に保持（係合）させて、三次元移動部４２によって袋体保持部４１を移動させることによって移動用保持部２４に力を加え、対応の袋体収容部２１を収容位置Ｐａから引出位置Ｐｂに移動させる。
【００８４】
対応の袋体収容部２１が引出位置Ｐｂに移動した後、移動用保持部２４に対する袋体保持部４１の保持が解除され、袋体保持部４１は移動用保持部２４から離間する。
【００８５】
［袋体群取り出し工程］
取り出し部３１は、引出位置Ｐｂに配置された袋体収容部２１に収納されている袋束Ｂ１を袋体保持部４１により挟んで、当該袋束Ｂ１を保持する（図７参照）。袋体保持部４１によって袋束Ｂ１を保持した状態で、三次元移動部４２は袋体保持部４１を移動させる。このようにして、袋体ストッカー１１（すなわち袋体収容部２１）から袋束Ｂ１が取り出される。
【００８６】
［袋体群位置決め工程］
袋体ストッカー１１から袋体供給装置１２に複数の袋体Ｂを供給する工程は、取り出し部３１が袋体ストッカー１１から取り出した袋束Ｂ１を配置調整部３２に渡す工程（図８参照）と、配置調整部３２が袋束Ｂ１の配置位置を調整する工程と、取り出し部３１が、配置調整部３２によって配置位置が調整された袋束Ｂ１を、配置調整部３２から受け取って預け部３３に運ぶ工程（図９参照）と、を含む。
【００８７】
すなわち、袋体保持部４１により保持されている袋束Ｂ１が水平姿勢で配置調整載置部４４上に配置され、袋束Ｂ１は袋体保持部４１から解放されて配置調整載置部４４に載せられる。この際、位置調整部材４５は配置調整載置部４４上の袋束Ｂ１から離れた離間位置に配置されており、配置調整載置部４４上への袋束Ｂ１の載置動作は位置調整部材４５によって阻害されない。
【００８８】
そして、位置調整部材４５を離間位置から矯正位置に移動させることによって、配置調整載置部４４上の袋束Ｂ１に含まれる２以上の袋体Ｂの両側縁部の位置が揃えられる。この離間位置から矯正位置への位置調整部材４５の移動は、一回のみ行われてもよいし、複数回繰り返し行われてもよい。
【００８９】
そして、配置調整載置部４４上の袋束Ｂ１の位置調整が行われた後、位置調整部材４５は離間位置に配置され、配置調整載置部４４上の袋束Ｂ１は、取り出し部３１の袋体保持部４１によって再び保持される。なお、配置調整部３２において袋束Ｂ１の位置調整が行われている間、袋体保持部４１は同じ位置に配置されていてもよく、袋束Ｂ１を配置調整載置部４４上に載置するために解放した位置を保っていてもよい。そして、袋体保持部４１によって袋束Ｂ１を保持しつつ三次元移動部４２によって袋体保持部４１を配置調整部３２から預け部３３に向けて移動させる。袋束Ｂ１は、預け部３３の移送載置部４７上に水平姿勢で配置され、袋体保持部４１から解放されて移送載置部４７に載せられる。
【００９０】
この際、預け部３３は上昇され、上昇位置において取り出し部３１（すなわち袋体保持部４１）から袋束Ｂ１を受け取る。預け部３３は、袋束Ｂ１が移送載置部４７に載せられた後に当該袋束Ｂ１とともに下降し、移送載置部４７上の袋束Ｂ１がプッシャーＰとほぼ同じ鉛直方向位置となる下降位置に預け部３３は配置される。この間、袋体移送部３６（すなわちプッシャーＰ）は待機位置に配置され、移送載置部４７上への袋束Ｂ１の移動を阻害しない。
【００９１】
なお、配置調整部３２が設けられていない場合、袋束Ｂ１は取り出し部３１によって袋体ストッカー１１（袋体収容部２１）から預け部３３（移送載置部４７）に直接的に運ばれてもよい。
【００９２】
そして取り出し部３１から預け部３３に袋束Ｂ１が渡された後に、取り出し部３１は、袋体ストッカー１１に貯留されている他の袋束Ｂ１を取り出すために移動する。そして、他の袋束Ｂ１を対象として上述の袋体群取り出し工程及び袋体群位置決め工程が行われ、当該他の袋束Ｂ１が預け部３３に運ばれる。
【００９３】
［袋体群押し出し工程］
移送載置部４７に載せられた袋束Ｂ１は、袋体移送部３６により、下流のマガジン３４に向けて水平方向に送り出される。具体的には、プッシャーＰを待機位置から押し出し位置に移動させることによって、その移動経路上にある移送載置部４７上の袋束Ｂ１がマガジン３４に押し出される。この際、マガジン載置部５０は、鉛直方向に関して移送載置部４７と同じ位置か移送載置部４７よりも低い位置に配置されており、移送載置部４７上から押し出される袋束Ｂ１がスムーズにマガジン載置部５０上に載せられる。特に、マガジン載置部５０上に他の袋束Ｂ１が既に載せられている場合には、当該他の袋束Ｂ１の最上面が移送載置部４７と同じ位置か移送載置部４７よりも低い位置に配置されるように、マガジン載置部５０の鉛直方向位置は調整される。
【００９４】
そして、袋束Ｂ１がマガジン３４に載せられた後に、プッシャーＰは押し出し位置から待機位置に移動し、待機位置で待機する。
【００９５】
［袋体供給工程］
袋体ストッカー１１から袋体供給装置１２に複数の袋体Ｂを供給する工程は、マガジン３４に収容された袋束Ｂ１の最上位置に配置された袋体Ｂを第１袋体ピックアップ部３５が取り出す工程を含む。
【００９６】
図示の第１袋体ピックアップ部３５は吸盤部を有し、マガジン３４によって支持されている袋束Ｂ１のうち、最上位置にある袋体Ｂが当該吸盤部により吸着されて上方に取り出される。第１袋体ピックアップ部３５の吸盤部の吸着動作及び吸着解放動作は、図示しない制御部によって制御される。
【００９７】
なお、第１袋体ピックアップ部３５による袋体Ｂの取り出しに応じて、マガジン載置部５０は上昇する。これにより、マガジン３４に支持されている袋束Ｂ１の最上位置に配置される袋体Ｂの鉛直方向位置をほぼ一定に保つことができる。したがって、第１袋体ピックアップ部３５は、袋体Ｂをほぼ定位置で保持しマガジン３４から当該袋体Ｂを取り出すことができるため、第１袋体ピックアップ部３５の動作を単純化することができるとともに、袋体Ｂの保持精度を向上させることができる。
【００９８】
第１袋体ピックアップ部３５は、マガジン３４から取り出した袋体Ｂを送り出し部３７に渡し、送り出し部３７は後段の装置に向けて当該袋体Ｂを送る。なお送り出し部３７の具体的な構成は限定されない。図示の送り出し部３７は、２つの駆動ローラに掛け渡された２組の無端状ベルトが互いに向かい合うように鉛直方向に並んで配置されている。第１袋体ピックアップ部３５は送り出し部３７のこれらの無端状ベルトの間にマガジン３４からの袋体Ｂを供給する。袋体Ｂが送り出し部３７の無端状ベルト間に挟まれた状態でこれらの無端状ベルトを駆動ローラにより走行させることで、当該袋体Ｂは下流に向けて搬送される。
【００９９】
［備考］
なお、マガジン３４よりも後段の構成及び工程は、様々なパターンが考えられ、限定されない。マガジン３４よりも後段の構成及び工程の典型例については、応用例として後述する。
【０１００】
また上記の袋体群押し出し工程以降の工程（袋体群押し出し工程及び袋体供給工程を含む工程）を行いつつ上記の袋体群取り出し工程〜袋体群位置決め工程が行われ、ある袋束Ｂ１が預け部３３から下流側に向けて搬送される間に、他の袋束Ｂ１を袋体ストッカー１１から預け部３３に運ぶことができる。
【０１０１】
また、上記の袋体群取り出し工程においてある袋体収容部２１から全ての袋束Ｂ１が取り出されたら、取り出し部３１（すなわち移動装置）によりその袋体収容部２１は引出位置Ｐｂから収容位置Ｐａに移動させられる。そして、袋束Ｂ１を収容する他の袋体収容部２１に関して上記の引出部引出工程及び袋体群取り出し工程が行われる。そして、上記の引出部引出工程及び袋体群取り出し工程は袋体ストッカー１１の全ての袋体収容部２１に対して行われる。そして、１つの袋体ストッカー１１の全ての袋体収容部２１に対して引出部引出工程及び袋体群取り出し工程が行われた後は、他の袋体ストッカー１１に対して引出部引出工程及び袋体群取り出し工程が行われる。なお、全ての袋束Ｂ１が取り出されて空になった袋体ストッカー１１は、供給ルームＲの内側の取り出し位置Ｐ１から供給ルームＲの外側の受け取り位置Ｐ２に移動させられ、受け取り位置Ｐ２において上記の袋体群供給工程が行われて新たな複数の袋体Ｂが補充される。この際、空になった袋体ストッカー１１の移動は、作業者Ｗによって行われてもよいし、図示しない機械によって行われてもよい。
【０１０２】
なお取り出し部３１は、袋体ストッカー１１（特に各袋体収容部２１）に貯留されている複数の袋束Ｂ１を、予め定められた順番で取り出してもよい。また取り出し部３１は、袋体ストッカー１１（すなわち各袋体収容部２１）における各袋束Ｂ１の位置及び／又は有無を検出可能なセンサ（例えば光学センサ及び撮像装置を含む）の検出結果に基づいて、各袋束Ｂ１を取り出してもよい。
【０１０３】
また袋体供給装置１２は、本体部２０に対する各袋体収容部２１の位置、配置調整部３２における袋束Ｂ１の有無、預け部３３における袋束Ｂ１の有無、袋体移送部３６の状態（例えばプッシャーＰの位置）及び／又はマガジン３４における袋束Ｂ１の有無を検出可能なセンサを具備していてもよい。また袋体供給装置１２は、各種のセンサ等から送られてくる検出結果の情報に基づいて、取り出し部３１、配置調整部３２、預け部３３、袋体移送部３６、マガジン３４、第１袋体ピックアップ部３５及び送り出し部３７のうちの少なくとも１以上の挙動を制御する制御部（図示省略）を有していてもよい。
【０１０４】
以上説明したように本実施形態の袋体ストッカー１１、袋体供給装置１２及び袋体供給システム１０によれば、供給ルームＲが汚染されるのを防止しつつ、省人化及び作業の効率化も図れる。すなわち、移動可能な袋体ストッカー１１を用いて供給ルームの外側で新たな袋体Ｂの補充を行うことで供給ルームＲの汚染を防止できる。また複数の袋体ストッカー１１を用いることで、一の袋体ストッカー１１から袋体Ｂを取り出している間に他の袋体ストッカー１１に新たな袋体Ｂを補充でき、作業効率を向上させることができる。
【０１０５】
また本実施形態の袋体供給システム１０及び袋体供給方法によれば、複数の袋体Ｂの集合によって構成される袋束Ｂ１を袋体収容部２１から簡単に取り出すことができる。また本実施形態の袋体供給システム１０及び袋体供給方法によれば、袋束Ｂ１の取り出し作業の際に袋体Ｂの損傷を低減することができ、また様々なタイプの袋体に柔軟に対応可能である。
【０１０６】
また袋体ストッカー１１を用いることで、取り出し部３１等の機械の可動範囲内に人を介在させることなく袋体Ｂの供給を行うことができるため、高度な安全性を確保できる。
【０１０７】
また１つの袋体ストッカー１１に複数の袋体収容部２１を設けることで多量の袋体Ｂをストックできる。そのため、新たな袋体Ｂを補充する必要がある袋体ストッカー１１を取り出し位置Ｐ１に移動させる頻度を抑えることができ、作業者Ｗの負担を著しく軽減することができる。
【０１０８】
また配置調整部３２によって各袋束Ｂ１に含まれる２以上の袋体Ｂの配置位置が矯正されるため、袋体ストッカー１１では、袋束Ｂ１（すなわち袋体Ｂ）の位置が多少不均一でも問題ない。したがって、各保持部材２２によって規定されるスペースを袋束Ｂ１のサイズよりも大きくしてもよい。この場合、各袋体収容部２１及び各保持部材２２に対する袋束Ｂ１の補充作業をスムーズに行うことができ、また各袋体Ｂ及び各袋束Ｂ１のサイズが変更されても同じ保持部材２２及び袋体収容部２１を使用することが可能である。
【０１０９】
次に、上述の袋体ストッカー１１の応用例（特にマガジン３４よりも下流側における典型的な構成例）について説明する。なお以下の応用例を表す各図面では、上述の袋体供給システム１０と同一又は類似の構成については同じ符合を付し、その詳細な説明を省略する。
【０１１０】
［第１応用例］
図１０は、第１応用例に係る袋体供給システム１０を示す図である。
【０１１１】
本応用例に係る袋体供給装置１２は、第１袋体ピックアップ部３５を介して送られてくる袋体Ｂを受け取って下流に向けて搬送する袋体搬送部６１と、袋体搬送部６１によって搬送される袋体Ｂの位置を規制する搬送ストッパー６２と、搬送ストッパー６２によって位置が規制された袋体Ｂを取り出して、袋体処理装置１００に供給する第２袋体ピックアップ部６３と、を有する。
【０１１２】
第１袋体ピックアップ部３５によってマガジン３４から取り出された袋体Ｂは、送り出し部３７を介し、無端状のコンベアベルトを有する袋体搬送部６１に渡される。袋体搬送部６１は、第１袋体ピックアップ部３５からの袋体Ｂを１枚ずつコンベアベルトにより下流に向けて搬送する。
【０１１３】
袋体搬送部６１によって下流に向けて搬送される袋体Ｂは、コンベアベルトの先端部の近傍において搬送ストッパー６２により位置決めされる。搬送ストッパー６２により位置決めされた袋体Ｂは第２袋体ピックアップ部６３によって取り出され、後段に設けられる図示しない袋体処理装置１００（例えば、袋体搬送機、袋詰め包装機、或いはスパウトシール機等）に供給される。
【０１１４】
なお袋体搬送部６１、搬送ストッパー６２及び第２袋体ピックアップ部６３のセットは、マガジン３４、第１袋体ピックアップ部３５及び送り出し部３７のセットと同じ数設けられる。図示の袋体供給装置１２では袋体搬送部６１、搬送ストッパー６２及び第２袋体ピックアップ部６３が４セット設けられている。
【０１１５】
［第２応用例］
図１１は、第２応用例に係る袋体供給システム１０を示す図である。
【０１１６】
本応用例の第１袋体ピックアップ部３５は、マガジン３４から取り出した袋体Ｂを袋体処理装置１００に直接的に供給する。すなわち、本応用例に係る袋体供給装置１２には送り出し部３７が設けられておらず、マガジン３４に貯留されている袋体Ｂは、第１袋体ピックアップ部３５によって直接的に図示しない袋体処理装置１００に渡される。
【０１１７】
なお図示の袋体供給装置１２では、袋体移送部３６（プッシャーＰ）、預け部３３、マガジン３４及び第１袋体ピックアップ部３５のセットが１つのみ設けられている。
【０１１８】
［第３応用例］
図１２は、第３応用例に係る袋体供給システム１０を示す図である。
【０１１９】
本応用例の袋体供給装置１２は、一時保持部６６、袋体搬送部６１、袋体持ち上げ部６７、繰り出し部６８、搬送ストッパー６２及び第２袋体ピックアップ部６３を具備するが、送り出し部３７は設けられていない。
【０１２０】
一時保持部６６は、第１袋体ピックアップ部３５から袋体Ｂが渡されて当該袋体Ｂを支持する。図示の一時保持部６６は、袋体Ｂを吸着保持する吸盤部を具備しており、袋体Ｂを固定的に支持する。なお一時保持部６６は、袋体Ｂに固定力を作用させて当該袋体Ｂの位置を固定しつつ当該袋体Ｂを支持してもよいし、固定力を作用させることなく単に袋体Ｂが載せられているだけでもよい。一時保持部６６は、水平方向へ移動可能に設けられており、マガジン３４と干渉しない位置で第１袋体ピックアップ部３５から袋体Ｂを受け取る受け取り位置と、袋体搬送部６１上の袋体Ｂと干渉しない位置で袋体搬送部６１に袋体Ｂを渡す渡し位置との間で往復移動する。
【０１２１】
袋体搬送部６１は、連続的に走行する無端状のコンベアベルトを具備し、一時保持部６６を介して送られてくる袋体Ｂを下流に向けて搬送する。本応用例の袋体搬送部６１は、複数の袋体Ｂを相互に重なり合った状態で下流に向けて搬送し、基本的に下流側の袋体Ｂの方が上流側の袋体Ｂよりも上側の重なり位置に配置される。
【０１２２】
袋体持ち上げ部６７は、一時保持部６６が新たな袋体Ｂを袋体搬送部６１に供給する際に、袋体搬送部６１上の最後尾（すなわち最上流側）の袋体Ｂの後ろ側位置（すなわち上流側位置）を持ち上げる。これにより一時保持部６６から供給される新たな袋体Ｂは、袋体持ち上げ部６７により持ち上げられた袋体Ｂの下側に挿入され、袋体搬送部６１上において最後尾に配置される。なお一時保持部６６から袋体搬送部６１に渡された袋体Ｂは、袋体搬送部６１のコンベアベルトの走行に伴って下流側に搬送され、後ろ側部分（すなわち上流側部分）が袋体持ち上げ部６７の直下に配置される。
【０１２３】
搬送ストッパー６２は、袋体搬送部６１によって搬送される複数の袋体Ｂのうちの先頭（すなわち最下流側）の袋体Ｂの位置を規制する。なお、袋体搬送部６１上において相互に重ねられて配置された複数の袋体Ｂのうち、最も上側に配置される袋体Ｂが先頭の袋体Ｂになるのが通常であるが、袋体搬送部６１のコンベアベルトの走行に伴って、最も上側に配置される袋体Ｂよりも他の袋体Ｂが下流側に配置されてしまうことがある。このような場合であっても、繰り出し部６８が最も上側に配置される袋体Ｂを下流側に送り出して搬送ストッパー６２に当接させる。
【０１２４】
繰り出し部６８は、袋体搬送部６１の上方において、袋体搬送部６１上において最も上側に配置される袋体Ｂに当接する位置に配置される。図示の繰り出し部６８は、無端状のコンベアベルトを具備する。袋体搬送部６１のコンベアベルトと繰り出し部６８のコンベアベルトとの間で袋体搬送部６１上において最も上側に配置される袋体Ｂを挟み、繰り出し部６８のコンベアベルトによって当該最も上側に配置される袋体Ｂを下流側に向けて送り出して搬送ストッパー６２に当接させる。したがって、繰り出し部６８のコンベアベルトは、袋体Ｂに対して大きな摩擦力を作用させることができる部材によって構成されることが好ましい。このように繰り出し部６８を設けることによって、袋体搬送部６１上において最も上側に配置される袋体Ｂを、確実に、搬送ストッパー６２の位置まで送り出すことができる。
【０１２５】
そして、袋体搬送部６１上において最も上側に配置される袋体Ｂは、搬送ストッパー６２により位置決めされた位置で第２袋体ピックアップ部６３によって取り出され、後段の袋体処理装置１００に供給される。
【０１２６】
なお本応用例において、預け部３３、袋体移送部３６（プッシャーＰ）、マガジン３４、第１袋体ピックアップ部３５、一時保持部６６、袋体持ち上げ部６７、袋体搬送部６１、繰り出し部６８、搬送ストッパー６２及び第２袋体ピックアップ部６３のセットは２つ設けられている。
【０１２７】
［変形例］
本発明は、上述の実施形態及び変形例には限定されない。例えば、上述の実施形態及び変形例の各要素に各種の変形が加えられてもよい。
【０１２８】
［第１変形例］
図１３〜図１４は、袋体ストッカー１１から袋体供給装置１２に複数の袋体Ｂを供給する工程を説明するための第１変形例に係る図である。本変形例において、上述の実施形態に係る袋体供給システム１０と同じ又は類似の要素には同一の符合を付し、その詳細な説明は省略する。
【０１２９】
本変形例においても、袋体ストッカー１１の各袋体収容部２１では、各袋束Ｂ１が起立状態で各保持部材２２によって支持される。ただし各保持部材２２は、対応の袋束Ｂ１に含まれる２以上の袋体Ｂの口部Ｂｂが水平方向に向けられるように、対応の袋束Ｂ１を支持する。すなわち、口部Ｂｂが形成されるエッジ部Ｂｃ１を含む一対の短エッジ部が水平方向に向けられてそれぞれ鉛直方向に延在するように、また口部Ｂｂが形成されていない一対の長エッジ部が鉛直方向に向けられてそれぞれ水平方向に延在するように、袋束Ｂ１は対応の保持部材２２によって支持される。
【０１３０】
本変形例の各保持部材２２は、中間部分で分断された箱状形態を有する。すなわち各保持部材２２は一対の端部保持部を有する。各端部保持部は袋束Ｂ１の端部形状に応じた形状を持ち、袋束Ｂ１の端部を三方から取り囲む。これにより各袋束Ｂ１の両端部が各保持部材２２の一対の端部保持部によって支持され、各袋束Ｂ１が起立状態で保持される。
【０１３１】
本変形例の袋体供給装置１２には配置調整部３２が設けられておらず、袋体ストッカー１１（すなわち引出位置Ｐｂに配置された袋体収容部２１）から預け部３３に直接的に袋束Ｂ１が運ばれる。
【０１３２】
預け部３３は水平方向に移動可能に設けられており、取り出し部３１（すなわち袋体保持部４１）から袋束Ｂ１が渡される供給位置Ｐｃと、マガジン３４に袋束Ｂ１を渡す放出位置Ｐｄと、に配置可能に設けられている。供給位置Ｐｃは、取り出し部３１から預け部３３に袋束Ｂ１が渡される際に、取り出し部３１（特に袋体保持部４１）と袋体移送部３６（例えばプッシャーＰ）とが互いに干渉しないような位置である。取り出し部３１は、供給位置Ｐｃに配置された預け部３３に対してスムーズに袋束Ｂ１を運んで、移送載置部４７上の適切な位置に当該袋束Ｂ１を載せることができる。放出位置Ｐｄは、マガジン３４に隣り合った位置であり、プッシャーＰの移動経路上に移送載置部４７上の袋束Ｂ１が配置されるような位置である。プッシャーＰは、放出位置Ｐｄに配置された預け部３３に収容された袋束Ｂ１をマガジン３４に向かって押し、当該袋束Ｂ１をマガジン３４にスムーズに収容することができる。
【０１３３】
なお本変形例において、預け部３３の移送ガイド部４８は、袋束Ｂ１に含まれる２以上の袋体Ｂの複数のエッジ部のうち、少なくとも口部Ｂｂが設けられているエッジ部Ｂｃ１に対し、接触して袋束Ｂ１をガイドする。すなわち取り出し部３１は、袋束Ｂ１の口部Ｂｂが設けられているエッジ部Ｂｃ１と、当該エッジ部に対向するエッジ部とが、預け部３３の移送ガイド部４８に対向するように、袋束Ｂ１を移送載置部４７上に載置する。そしてプッシャーＰは、袋束Ｂ１の口部Ｂｂが設けられているエッジ部に隣接する一方のエッジ部を押して、袋束Ｂ１をマガジン３４に収容する。
【０１３４】
上述のように本変形例では、袋体ストッカー１１（すなわち袋体収容部２１）において口部Ｂｂが水平方向に向けられた状態で各袋束Ｂ１が起立されている。そのため各袋束Ｂ１に含まれる複数の袋体Ｂ同士は、袋体ストッカー１１に収容されている段階で、重力の影響により幅方向に関して揃った状態にある。そのため、上述の実施形態の配置調整部３２（図３等参照）が設けられなくても、袋束Ｂ１を、複数の袋体Ｂが幅方向に互いに位置合わせされた状態で、預け部３３に配置することが可能である。
【０１３５】
また本変形例では、プッシャーＰが袋束Ｂ１を幅方向に押す。したがって、例えばプッシャーＰが預け部３３からマガジン３４に向けて袋束Ｂ１を押す際に、当該袋束Ｂ１をマガジン３４の側壁部に押し付けてもよい。この場合、マガジン３４の側壁部とプッシャーＰとによって袋束Ｂ１を挟んで、当該袋束Ｂ１に含まれる複数の袋体Ｂの幅方向位置をマガジン３４において整えることができる。
【０１３６】
なお本変形例において、マガジン３４よりも後段の構成は限定されず、例えば上述の各応用例と同様の構成を有しうる。
【０１３７】
［第２変形例］
図１５は、第２変形例に係る袋体収容部２１及び保持部材２２を示す概略図である。図１５に示す袋体収容部２１及び保持部材２２は、理解を容易にするために簡略化して示されている。したがって、例えば図１５において移動用保持部２４の図示は省略されている。また袋体収容部２１上に設けられる保持部材２２の数や具体的な形状は、図１５に示す数や形状には限定されない。
【０１３８】
図１５において、符合「Ｄｓ」は水平方向のうち袋体収容部２１のスライド方向を示し、特に袋体ストッカー１１における収容位置Ｐａから引出位置Ｐｂに向かう方向を示す。また符合「Ｄｐ」は、水平方向のうち符合「Ｄｓ」と垂直を成す方向を示し、各袋体収容部２１の幅方向を示す。
【０１３９】
本変形例では、各保持部材２２は概ねＬ字形状の断面を有し、袋束Ｂ１は保持部材２２上に載置されている。各保持部材２２は、対応の袋束Ｂ１に含まれる２以上の袋体Ｂの各々の辺部のうち互いに隣接する２つの辺部の少なくとも一部に接触する。
【０１４０】
図１５に示す保持部材２２は、袋束Ｂ１を構成する複数の袋体Ｂが袋体収容部２１のスライド方向（「Ｄｓ」参照）に互いに重ねられた状態で、袋束Ｂ１を支持する。また図１５に示す保持部材２２は、袋束Ｂ１（すなわち各袋体Ｂ）の上方辺部Ｓｔ、下方辺部Ｓｂ、左方辺部Ｓｌ及び右方辺部Ｓｒのうち、鉛直方向下方において互いに隣接する下方辺部Ｓｂ及び右方辺部Ｓｒに対して接触した状態で、袋束Ｂ１を支持する。また図１５に示す保持部材２２は、袋束Ｂ１（すなわち各袋体Ｂ）の下方辺部Ｓｂが水平方向（特に符合「Ｄｐ」で示される方向）に対して傾けられた状態で、袋束Ｂ１を支持する。したがって保持部材２２は、袋束Ｂ１のうち、左方辺部Ｓｌ及び右方辺部Ｓｒのうちの一方（図１５では右方辺部Ｓｒ）と下方辺部Ｓｂとによって形成される隅部の近傍箇所を含む範囲に接触する。
【０１４１】
本変形例によれば、各袋束Ｂ１が保持部材２２に支持された状態で、各袋束Ｂ１のうちの上方辺部Ｓｔに隣接する箇所及び左方辺部Ｓｌに隣接する箇所の両方を完全に露出させることができる。したがって取り出し部３１（図３等参照）は、各袋束Ｂ１のうちの上方辺部Ｓｔに隣接する箇所だけではなく、左方辺部Ｓｌに隣接する箇所も保持することができ、袋束Ｂ１の取り出し態様の自由度を増大させることができる。
【０１４２】
また袋束Ｂ１（すなわち各袋体Ｂ）は、対応の保持部材２２上に載せられた状態で当該保持部材２２の支持面に沿ってスライド自在に載せられることにより、重力の影響を受けて、対応の保持部材２２上で精度良く位置合わせされた状態で配置される。特に、保持部材２２の支持面が鉛直方向に関して傾斜していたり、保持部材２２の支持面が平面形状を有していたりする場合、重力の影響による袋束Ｂ１のそのようなスライド移動を効果的に促すことができる。なお保持部材２２の支持面は、袋束Ｂ１（すなわち各袋体Ｂ）の接触箇所の辺部の形状に合わせた形状を有することが好ましく、多くの場合では平面形状であるが、必ずしも袋束Ｂ１の接触箇所の辺部の形状と一致している必要はない。
【０１４３】
なお図１５では、袋束Ｂ１を構成する複数の袋体Ｂが袋体収容部２１のスライド方向（「Ｄｓ」参照）に重ねられているが、袋束Ｂ１を構成する複数の袋体Ｂは他の方向に重ねられてもよく、例えば符合「Ｄｐ」で示す方向や、他の水平方向に重ねられてもよい。また図１５では、袋束Ｂ１を構成する複数の袋体Ｂの各々の表面及び裏面の方向（すなわち法線方向）が概ね水平方向に向けられているが、これらの表面及び裏面は他の方向に向けられていてもよい。例えば袋束Ｂ１を構成する複数の袋体Ｂの各々の表面及び裏面の方向が、水平以外の方向（ただし鉛直方向と平行な方向以外の方向）であってもよい。
【０１４４】
［第３変形例］
図１６は、第３変形例に係る袋体収容部２１及び保持部材２２を示す概略図である。図１６は、図１５と同様に、袋体収容部２１及び保持部材２２を簡略化して示しており、例えば移動用保持部２４の図示は省略されている。また図１６において、符合「Ｄｓ」は水平方向のうち袋体収容部２１のスライド方向（特に袋体ストッカー１１における収容位置Ｐａから引出位置Ｐｂに向かう方向）を示し、符合「Ｄｐ」は、水平方向のうち符合「Ｄｓ」と垂直を成す方向（特に各袋体収容部２１の幅方向）を示す。
【０１４５】
本変形例の各保持部材２２は、袋束Ｂ１に含まれる２以上の袋体Ｂのうち最も表面側に配置される袋体Ｂ及び最も裏面側に配置される袋体Ｂのうち、少なくとも鉛直方向下方に配置される袋体Ｂの表面又は裏面に接触するように、袋束Ｂ１を支持する。また各保持部材２２は、袋体収容部２１の収容位置Ｐａから引出位置Ｐｂに向かう方向Ｄｓに関し、鉛直方向と平行な方向に関する袋束Ｂ１の上端部が下端部から離間した位置に配置されるように、袋束Ｂ１を支持する。
【０１４６】
図１６に示す各保持部材２２は、対応の袋束Ｂ１に含まれる２以上の袋体Ｂのうち最も表面側に配置される袋体Ｂ及び最も裏面側に配置される袋体Ｂの両方に接触するように、袋束Ｂ１を支持する。
【０１４７】
各保持部材２２は概ねＬ字形状の断面を有し、袋束Ｂ１は保持部材２２上に載置されている。図１６に示す保持部材２２は、袋束Ｂ１を構成する複数の袋体Ｂが、符合「Ｄｐ」で示される方向に対して垂直な方向に重ねられた状態で、袋束Ｂ１を支持する。また図１６に示す保持部材２２は、袋束Ｂ１（すなわち各袋体Ｂ）の辺部のうち下方辺部Ｓｂに接触した状態で、袋束Ｂ１を支持する。なお図１６に示す保持部材２２は、第１保持部材２２ａと、第１保持部材２２ａから鉛直方向上方に向かって延在する第２保持部材２２ｂとを含む。第１保持部材２２ａは、袋体収容部２１上に固定される基礎部分であり、載置された袋束Ｂ１を下方から支持する。第２保持部材２２ｂは、保持部材２２上に載置された袋束Ｂ１のうち鉛直方向上方部分を支持する。ただし第２保持部材２２ｂは、保持部材２２上に載置された袋束Ｂ１の最上部（すなわち上方辺部ｓｔの近傍範囲）には接触せず、当該最上部を露出させている。
【０１４８】
本変形例によれば、各袋束Ｂ１が保持部材２２に支持された状態で、各袋束Ｂ１のうちの上方辺部Ｓｔに隣接する箇所を完全に露出させることができる。そして取り出し部３１は、保持部材２２が支持している袋束Ｂ１のうちの露出した部分を保持しつつ、袋体収容部２１から袋束Ｂ１を取り出す。したがって取り出し部３１は、各袋束Ｂ１のうちの上方辺部Ｓｔに隣接する箇所を簡単且つ確実に保持することができる。
【０１４９】
また袋束Ｂ１（すなわち各袋体Ｂ）は、対応の保持部材２２上に載せられた状態で当該保持部材２２の支持面に沿ってスライド自在に載せられることによって、重力の影響を受けて、対応の保持部材２２上で精度良く位置合わせされた状態で配置される。特に、保持部材２２の支持面が鉛直方向に関して傾斜していたり、保持部材２２の支持面が平面形状を有していたりする場合、そのような重力の影響による袋束Ｂ１のスライド移動を効果的に促すことができる。なお保持部材２２の支持面は、袋束Ｂ１（すなわち各袋体Ｂ）の接触箇所（本変形例では表面又は裏面）の形状に合わせた形状を有することが好ましく、多くの場合では平面形状であるが、必ずしも袋束Ｂ１の接触箇所の形状と一致していなくてもよい。
【０１５０】
なお図１６では、各袋束Ｂ１は対応の保持部材２２上において、袋体収容部２１の収容位置Ｐａから引出位置Ｐｂに向かう方向Ｄｓに関して突き出るように配置されているが、他の方向に突き出るように配置されていてもよい。
【０１５１】
［第４変形例］
図１７は、第４変形例に係る袋体ストッカー１１及びワゴンロック装置１５０を示す側方図であり、非ロック状態を示す。図１８は、第４変形例に係る袋体ストッカー１１及びワゴンロック装置１５０を示す側方図であり、ロック状態を示す。図１９は、第４変形例に係る袋体ストッカー１１及びワゴンロック装置１５０の平面図であり、非ロック状態を示す。図２０は、第４変形例に係る袋体ストッカー１１及びワゴンロック装置１５０の平面図であり、ロック状態を示す。なお理解を容易にするため、図１７〜図１９には、内部構成の一部が透視されて図示されていることがあり、また図示が省略されている要素がありうる。
【０１５２】
取り出し位置Ｐ１（図３参照）に配置された袋体ストッカー１１は、取り出し部３１によって袋束Ｂ１がスムーズ且つ確実に取り出されるように、所定位置に精度良く配置されると共に、当該所定位置に固定されることが好ましい。取り出し位置Ｐ１に配置される袋体ストッカー１１の所定位置からの許容ズレ量は、取り出し部３１の能力によっても変わるが、実際は１ｃｍ未満程度（より好ましくは５ｍｍ程度）であることが多い。したがって、袋体ストッカー１１は取り出し位置Ｐ１（所定位置）において固定されることが好ましい。
【０１５３】
本変形例では、ワゴンロック装置１５０によって袋体ストッカー１１を持ち上げつつ、袋体ストッカー１１の全体を所定位置において固定する。
【０１５４】
図示の袋体ストッカー１１は、本体部２０が載せられるワゴンフレーム１１２と、ワゴンフレーム１１２から上方に延びて作業者Ｗによって操作されるハンドル１１０と、ワゴンフレーム１１２の先端に設けられたワゴン側ストッパー１１１と、を有する。
【０１５５】
ワゴンロック装置１５０は、前側に設けられる第１レバー１５１と、後ろ側に設けられる第２レバー１５２と、第１レバー１５１の先端部に回転自在に取り付けられる第１ベアリング１５３と、第２レバー１５２の先端部に回転自在に取り付けられる第２ベアリング１５４と、第１レバー１５１及び第２レバー１５２を回転自在に支持するロックフレーム１６０と、ロックフレーム１６０に取り付けられたロック装置側ストッパー１５５と、ロックフレーム１６０を地面Ｇ上で支持する脚部１６１と、を有する。
【０１５６】
図１９及び図２０に示すように、袋体ストッカー１１のワゴンフレーム１１２はハンドル１１０を介して作業者Ｗに押されて移動し、ワゴンロック装置１５０のロックフレーム１６０に取り付けられたサイドガイド１６２により誘導されて、図２０に示す係止位置において停止する。この係止位置では、本体部２０の底壁に形成された案内係合溝１１３に対して、ロックフレーム１６０に対して固定され上方に延在する規制ピン１７５が係合する。また袋体ストッカー１１が係止位置に配置されると、ワゴン側ストッパー１１１とロック装置側ストッパー１５５とが当接する。これにより、図１９及び図２０に示すＸ方向及びＹ方向（すなわち水平方向）に関して袋体ストッカー１１がワゴンロック装置１５０に対して規制される。
【０１５７】
また、袋体ストッカー１１が係止位置に配置されると、エアシリンダ保持部１５９を介してロックフレーム１６０に取り付けられたエアシリンダ１５６が駆動され、エアシリンダ軸１５７が伸び、第３レバー１７０はＸ方向（図１９及び図２０の左方向）に押されつつ駆動回転軸１７１を中心に回転させられる。第３レバー１７０の回転に伴って、エアシリンダ１５６はエアシリンダ回転軸１５８を中心に回転する。なおエアシリンダ回転軸１５８は、エアシリンダ軸１５７に対して回転自在に取り付けられている。これにより、第３レバー１７０に固定されている駆動回転軸１７１が軸回転する。したがって、駆動回転軸１７１に固定されている第４レバー１７２及び第１レバー１５１が駆動回転軸１７１を中心に回転し、第４レバー１７２及び第１レバー１５１の先端部が上昇する。これにより、第１ベアリング１５３が図１８に示すようにワゴンフレーム１１２を持ち上げる。この際、ワゴン側ストッパー１１１が第１ベアリング１５３及びロック装置側ストッパー１５５によって挟まれ、Ｘ方向（図１８の左右方向）に関して袋体ストッカー１１がワゴンロック装置１５０に対して固定される。また水平方向（Ｙ方向）に関して、複数箇所（図示の例では２箇所）において「ワゴン側ストッパー１１１が第１ベアリング１５３及びロック装置側ストッパー１５５によって挟まれる構造」を設けることによって、ワゴンロック装置１５０に対してワゴン側ストッパー１１１が固定される。
【０１５８】
上述のように第４レバー１７２が駆動回転軸１７１を中心に軸回転してＸ方向（図１９及び図２０の左方向）に移動すると、駆動回転軸１７１に回転自在に連結されている連結軸１７３も同じ方向に移動し、連結軸１７３に回転自在に連結されている第５レバー１７４も同じ方向に移動しつつ従動回転軸１７７を中心に回転する。これにより従動回転軸１７７に固定されている第２レバー１５２が従動回転軸１７７を中心に軸回転し、第２ベアリング１５４が上昇する。これにより、第２ベアリング１５４が図１８に示すようにワゴンフレーム１１２を持ち上げる。
【０１５９】
上述のように本変形例によれば、袋体ストッカー１１を係止位置（図２０参照）に配置してエアシリンダ１５６を作動させることで、案内係合溝１１３と規制ピン１７５との係合、第１ベアリング１５３及び第２ベアリング１５４による袋体ストッカー１１の持ち上げ（特に地面Ｇからのキャスター２３の持ち上げ）、及び第１ベアリング１５３とロック装置側ストッパー１５５とによるワゴン側ストッパー１１１の挟み込みによって、袋体ストッカー１１をワゴンロック装置１５０に対して所定位置で精度良く確実に固定することができる。
【０１６０】
また本変形例のように各種レバー及び回転軸を組み合わせることによって、単一の駆動部（すなわちエアシリンダ１５６）によって、前側機構（すなわち第１レバー１５１及び第１ベアリング１５３）及び後ろ側機構（すなわち第２レバー１５２及び第２ベアリング１５４）の両方を駆動することができる。
【０１６１】
［第５変形例］
図２１は、第５変形例に係る袋体ストッカー１１を示す側方図であり、袋体ストッカー１１の内側の構成を示す。
【０１６２】
本体部２０に対して袋体収容部２１をスライドさせる機構は限定されないが、収容位置Ｐａ及び引出位置Ｐｂの少なくとも一方（好ましくは両方）において、袋体収容部２１を本体部２０に対してロックすることができる機構であることが望ましい。本変形例では、そのような袋体収容部２１のロック機構の一例について説明する。
【０１６３】
図２１は、一例として、３つの袋体収容部２１Ａ、２１Ｂ、２１Ｃが鉛直方向に並べられた袋体ストッカー１１を示す。図２１に示される最上段の袋体収容部２１Ａは、収容位置Ｐａにおいてロックが解除されており、収容位置Ｐａから引出位置Ｐｂに移動可能な状態にある。中段の袋体収容部２１Ｂは、引出位置Ｐｂにおいてロックされている状態にある。最下段の袋体収容部２１Ｃは、収容位置Ｐａにおいてロックされている状態にある。
【０１６４】
各袋体収容部２１は両サイドに設けられた移動プレート２１５を有する。本体部２０には伸縮タイプのスライドレール２５０が取り付けられており、移動プレート２１５はスライドレール２５０に取り付けられている。図示のスライドレール２５０は、本体部２０に取り付けられた第１スライドレール２５０Ａと、第１スライドレール２５０Ａの内側において第１スライドレール２５０Ａに対してスライド自在に設けられた第２スライドレール２５０Ｂと、第２スライドレール２５０Ｂの内側において第２スライドレール２５０Ｂに対してスライド自在に設けられた第３スライドレール２５０Ｃとを有する。移動プレート２１５は第３スライドレール２５０Ｃに取り付けられている。袋体収容部２１が収容位置Ｐａに配置される場合、第１スライドレール２５０Ａ〜第３スライドレール２５０Ｃは互いに重なっており、スライドレール２５０は縮んだ状態となる。一方、袋体収容部２１が引出位置Ｐｂに配置される場合、第１スライドレール２５０Ａ〜第３スライドレール２５０Ｃは互いにスライド方向にずれた位置に配置され、スライドレール２５０は伸ばされた状態となる。
【０１６５】
なお収容位置Ｐａに配置される袋体収容部２１には本体部２０に取り付けられたストッパー２２２が接触し、袋体収容部２１の収容位置Ｐａからの更なる移動（図２１の左側への移動）が防がれている。また袋体収容部２１が引出位置Ｐｂに配置される場合、本体部２０に取り付けられたストッパー２６４が移動プレート２１５に接触し、袋体収容部２１の引出位置Ｐｂからの更なる移動（図２１の右側への移動）が防がれている。
【０１６６】
収容部ハンドル２１０はハンドル回転軸２１１を中心に回転可能に設けられており、ハンドル回転軸２１１の両端部はそれぞれ移動プレート２１５に回転自在に取り付けられている。ハンドル回転軸２１１にはハンドルレバー２１２が取り付けられており、ハンドルレバー２１２はハンドル回転軸２１１の軸回転に応じて回転する。
【０１６７】
各移動プレート２１５には支持ブロック２１４及び支持ブロック２１６が設けられており、袋体収容部２１のスライド方向に延在するロック移動軸２１３が、支持ブロック２１４及び支持ブロック２１６によってスライド方向へ移動自在に支持されている。ロック移動軸２１３の一方の端部はハンドルレバー２１２に当接し、他方の端部はロックレバー２２０に当接する。
【０１６８】
ロックレバー２２０は引っ張りばね２１７を介して移動プレート２１５に取り付けられており、ロックレバー２２０には引っ張りばね２１７の弾性力が作用する。またロックレバー２２０は、ロック回転軸２２１を介して移動プレート２１５に回転自在に取り付けられており、ロック回転軸２２１を中心に回転する。ロックレバー２２０には第１ロック溝２２４及び第２ロック溝２２６が形成されている。
【０１６９】
袋体ストッカー１１は、第１ストッパー軸２３１、第２ストッパー軸２３３、第３ストッパー軸２３５及び第４ストッパー軸２３７を具備する。第１ストッパー軸２３１は移動プレート２１５に取り付けられ、第２ストッパー軸２３３は本体部２０に取り付けられ、第３ストッパー軸２３５は移動プレート２１５に取り付けられ、第４ストッパー軸２３７は本体部２０に取り付けられている。第１ストッパー軸２３１及び第４ストッパー軸２３７は袋体収容部２１をロックするために設けられており、第２ストッパー軸２３３及び第３ストッパー軸２３５はロックレバー２２０の姿勢（すなわち傾き）を規制するために設けられている。
【０１７０】
袋体収容部２１が収容位置Ｐａに配置された状態で、第２ロック溝２２６に第４ストッパー軸２３７が係合することによって、袋体収容部２１は収容位置Ｐａでロックされる（図１１の「袋体収容部２１Ｃ」参照）。一方、袋体収容部２１が引出位置Ｐｂに配置された状態で、第１ロック溝２２４に第１ストッパー軸２３１が係合することによって、袋体収容部２１は引出位置Ｐｂでロックされる（図１１の「袋体収容部２１Ｂ」参照）。袋体収容部２１がロックされた状態にある場合、ハンドルレバー２１２は収容部ハンドル２１０を介して傾けられていないか殆ど傾けられておらず、引っ張りばね２１７は相対的に縮んでおり、ロックレバー２２０は第１の姿勢をとる。一方、収容部ハンドル２１０を介してハンドルレバー２１２が傾けられることで、ロック移動軸２１３はハンドルレバー２１２によって押され、ロック移動軸２１３はロックレバー２２０を押し、引っ張りばね２１７は相対的に伸ばされ、ロックレバー２２０は第２の姿勢をとる。このように、作業者Ｗは収容部ハンドル２１０を操作することで、ロック回転軸２２１を中心にロックレバー２２０を回転させて第１の姿勢及び第２の姿勢に置くことができ、各袋体収容部２１のスライドロック及びそのロックの解除を行うことができる。
【０１７１】
なおロックレバー２２０は、第１ストッパー軸２３１を第１ロック溝２２４にガイドする第１傾斜面２６１及び第４ストッパー軸２３７を第２ロック溝２２６にガイドする第２傾斜面２６２を有する。収容位置Ｐａから引出位置Ｐｂに袋体収容部２１を移動させる場合、第１の姿勢に置かれたロックレバー２２０の第１傾斜面２６１に第１ストッパー軸２３１が接触する。その後、第１ストッパー軸２３１は第１傾斜面２６１上をスライドしつつロック回転軸２２１を中心にロックレバー２２０を徐々に回転させ、最終的に引出位置Ｐｂで第１ロック溝２２４に係合する。同様に、引出位置Ｐｂから収容位置Ｐａに袋体収容部２１を移動させる場合、第１の姿勢に置かれたロックレバー２２０の第２傾斜面２６２に第４ストッパー軸２３７が接触する。その後、第４ストッパー軸２３７は第２傾斜面２６２上をスライドしつつロック回転軸２２１を中心にロックレバー２２０を徐々に回転させ、最終的に収容位置Ｐａで第２ロック溝２２６に係合する。
【０１７２】
このように本変形例の袋体ストッカー１１によれば、各袋体収容部２１を本体部２０に対してスライド可能に設けることができるとともに、各袋体収容部２１を収容位置Ｐａ及び引出位置Ｐｂにおいてロック可能に設けることができる。
【０１７３】
［他の変形例］
上述の実施形態及び変形例において、各要素の具体的な数は限定されない。特に、預け部３３や預け部３３よりも下流側に設けられる要素の各々は、１つのみ設けられていてもよいし、複数設けられてもよい。
【０１７４】
また上述の実施形態及び変形例では、各袋体ストッカー１１において複数の袋体収容部２１が設けられ、また各袋体収容部２１において複数の保持部材２２が設けられているが、これらには限定されない。すなわち各袋体ストッカー１１において袋体収容部２１が１つのみ設けられていてもよいし、各袋体収容部２１において保持部材２２が１つのみ設けられていてもよい。
【０１７５】
上述の構成要素及び／又は方法以外の構成要素及び／又は方法を含む形態も、本発明の実施形態に含まれうる。また、上述の構成要素及び／又は方法のうちの一部の要素が含まれない形態も、本発明の実施形態に含まれうる。また、本発明のある実施形態に含まれる一部の構成要素及び／又は方法と、本発明の他の実施形態に含まれる一部の構成要素及び／又は方法とを含む形態も、本発明の実施形態に含まれうる。したがって、上述の実施形態及び変形例、及び上述以外の本発明の実施形態の各々に含まれる構成要素及び／又は方法同士が組み合わされてもよく、そのような組み合わせに係る形態も本発明の実施形態に含まれうる。また、本発明によって奏される効果も上述の効果に限定されず、各実施形態の具体的な構成に応じた特有の効果も発揮されうる。このように、本発明の技術的思想及び趣旨を逸脱しない範囲で、特許請求の範囲、明細書、要約書及び図面に記載される各要素に対して種々の追加、変更及び部分的削除が可能である。
【符号の説明】
【０１７６】
１０…袋体供給システム、１１…袋体ストッカー、１２…袋体供給装置、２０…本体部、２１…袋体収容部、２２…保持部材、２３…キャスター、２４…移動用保持部、２５…段ボール箱、３１…取り出し部、３２…配置調整部、３３…預け部、３４…マガジン、３５…第１袋体ピックアップ部、３６…袋体移送部、３７…送り出し部、４１…袋体保持部、４２…三次元移動部、４４…配置調整載置部、４５…位置調整部材、４７…移送載置部、４８…移送ガイド部、５０…マガジン載置部、５１…マガジンガイド部、５２…マガジンストッパー部、６１…袋体搬送部、６２…搬送ストッパー、６３…第２袋体ピックアップ部、６６…一時保持部、６７…袋体持ち上げ部、６８…繰り出し部、１００…袋体処理装置、Ｂ…袋体、Ｂ１…袋束、Ｂａ…本体部、Ｂｂ…口部、Ｂｃ１…エッジ部、Ｐ…プッシャー、Ｐ１…取り出し位置、Ｐ２…受け取り位置、Ｐａ…収容位置、Ｐｂ…引出位置、Ｐｃ…供給位置、Ｐｄ…放出位置、Ｒ…供給ルーム、Ｗ…作業者
【図１】
2019094148.tif 000003
【図２】
2019094148.tif 000004
【図３】
2019094148.tif 000005
【図４】
2019094148.tif 000006
【図５】
2019094148.tif 000007
【図６】
2019094148.tif 000008
【図７】
2019094148.tif 000009
【図８】
2019094148.tif 000010
【図９】
2019094148.tif 000011
【図１０】
2019094148.tif 000012
【図１１】
2019094148.tif 000013
【図１２】
2019094148.tif 000014
【図１３】
2019094148.tif 000015
【図１４】
2019094148.tif 000016
【図１５】
2019094148.tif 000017
【図１６】
2019094148.tif 000018
【図１７】
2019094148.tif 000019
【図１８】
2019094148.tif 000020
【図１９】
2019094148.tif 000021
【図２０】
2019094148.tif 000022
【図２１】
2019094148.tif 000023
【手続補正書】
【提出日】平成30年11月29日(2018.11.29)
【手続補正１】
【補正対象書類名】明細書
【補正対象項目名】００４２
【補正方法】変更
【補正の内容】
【００４２】
各保持部材２２は、袋束Ｂ１を外側から支持するための部材である。袋束Ｂ１は、２以上の袋体Ｂ（通常は数枚〜数十枚程度の袋体Ｂ）を含み、袋束Ｂ１に含まれる２以上の袋体Ｂの表面及び裏面は互いに同じ方向に向けられ、これらの袋体Ｂが相互に重ねられて一体的に配置されることで袋束Ｂ１が構成される。本実施形態では、各保持部材２２は、これらの２以上の袋体Ｂの表面及び裏面の向き（すなわち法線方向）が重力の作用方向である鉛直方向と平行な方向以外の方向に向けられた状態で、袋束Ｂ１を支持する。すなわち、袋束Ｂ１（すなわち２以上の袋体Ｂ）は、水平方向以外の方向に延在するようにして保持部材２２により支持される。特に、各保持部材２２は、そのような袋束Ｂ１を貫通することなく、袋束Ｂ１の外表面の一部に接触した状態で、袋束Ｂ１を外側から支持する。このように袋束Ｂ１を外側から支持することにより、各袋Ｂにおける貫通孔の有無にかかわらず、様々なタイプの袋体Ｂ（袋束Ｂ１）に対して柔軟に対応することができる。例えば、サイズ及び形状が異なる複数種類の袋体Ｂ（袋束Ｂ１）を、共通の保持部材２２を使って適切に支持することも可能である。図示の各保持部材２２は、対応の袋体Ｂを起立姿勢で支持する。ここでいう起立姿勢は、袋束Ｂ１に含まれる各袋体Ｂが概ね鉛直方向に延在する姿勢であり、各袋体Ｂの表面及び裏面が鉛直方向以外の方向に向けられている姿勢である。したがって、各袋体Ｂが鉛直方向及び水平方向の双方に対して傾斜して延在する傾斜姿勢も、広義には、ここでいう起立姿勢に含まれる。また図示の袋体ストッカー１１の各保持部材２２は、対応の袋束Ｂ１に含まれる２以上の袋体Ｂの口部Ｂｂが鉛直方向上方に向けられるように、対応の袋束Ｂ１を支持する。
【手続補正２】
【補正対象書類名】明細書
【補正対象項目名】０１０７
【補正方法】変更
【補正の内容】
【０１０７】
また１つの袋体ストッカー１１に複数の袋体収容部２１を設けることで多量の袋体Ｂをストックできる。そのため、新たな袋体Ｂを補充する必要がある袋体ストッカー１１を受け取り位置Ｐ２に移動させる頻度を抑えることができ、作業者Ｗの負担を著しく軽減することができる。
【手続補正３】
【補正対象書類名】明細書
【補正対象項目名】０１７０
【補正方法】変更
【補正の内容】
【０１７０】
袋体収容部２１が収容位置Ｐａに配置された状態で、第２ロック溝２２６に第４ストッパー軸２３７が係合することによって、袋体収容部２１は収容位置Ｐａでロックされる（図２１の「袋体収容部２１Ｃ」参照）。一方、袋体収容部２１が引出位置Ｐｂに配置された状態で、第１ロック溝２２４に第１ストッパー軸２３１が係合することによって、袋体収容部２１は引出位置Ｐｂでロックされる（図２１の「袋体収容部２１Ｂ」参照）。袋体収容部２１がロックされた状態にある場合、ハンドルレバー２１２は収容部ハンドル２１０を介して傾けられていないか殆ど傾けられておらず、引っ張りばね２１７は相対的に縮んでおり、ロックレバー２２０は第１の姿勢をとる。一方、収容部ハンドル２１０を介してハンドルレバー２１２が傾けられることで、ロック移動軸２１３はハンドルレバー２１２によって押され、ロック移動軸２１３はロックレバー２２０を押し、引っ張りばね２１７は相対的に伸ばされ、ロックレバー２２０は第２の姿勢をとる。このように、作業者Ｗは収容部ハンドル２１０を操作することで、ロック回転軸２２１を中心にロックレバー２２０を回転させて第１の姿勢及び第２の姿勢に置くことができ、各袋体収容部２１のスライドロック及びそのロックの解除を行うことができる。